【手続補正書】
【提出日】平成17年10月26日(2005.10.26)
【手続補正１】
【補正対象書類名】明細書
【補正対象項目名】発明の名称
【補正方法】変更
【補正の内容】
【発明の名称】情報取得出力装置および情報取得出力方法ならびにプログラム
【手続補正２】
【補正対象書類名】明細書
【補正対象項目名】特許請求の範囲
【補正方法】変更
【補正の内容】
【特許請求の範囲】
【請求項１】  予め設定される提供時間枠に区切られる提供予定に従って提供する複数の提供元からのコンテンツを取得する少なくとも１つ以上の取得部を備え、取得部は、各提供元のうちの１つの提供元を選択して、選択した提供元からのコンテンツを取得する取得手段と、
取得部によって取得したコンテンツを、取得部の数よりも多い数の出力先に与える出力手段と、
各出力先にコンテンツを出力する出力要請を入力する入力手段と、
いずれか１つの出力先への出力要請に基づいて、取得したコンテンツを前記１つの出力先に与えているとき、そのコンテンツを取得した取得部における提供元の選択の変更であって、かつ前記１つの出力先への出力要請よりも後から入力された他の出力先への出力要請に基づく変更を禁止するように、取得手段を制御する制御手段とを含むことを特徴とする情報取得出力装置。
【請求項２】  制御手段は、入力される出力要請に基づいて、先に入力された出力要請を優先させて、その出力要請の出力先の使用権として取得部の使用権を設定し、この使用権に基づいて、取得手段を制御することを特徴とする請求項１記載の情報取得出力装置。
【請求項３】  制御手段は、出力要請が入力されたとき、既に取得部の使用権が設定されていて、取得部の使用権を設定することができない場合であって、その出力要請が既に使用権の設定されている取得部で取得されるコンテンツと同一の場合には、その出力要請に基づいてコンテンツを出力するように、出力手段を制御することを特徴とする請求項２記載の情報取得出力装置。
【請求項４】  前記各提供元から提供されるコンテンツを、各提供元のうちの１つの提供元を選択して取得する他の装置と通信する通信手段をさらに含み、
制御手段は、通信手段を介して、取得手段が備える取得部と同様に他の装置を制御可能であることを特徴とする請求項１〜３のいずれかに記載の情報取得出力装置。
【請求項５】  前記各提供元から提供されるコンテンツを、各提供元のうちの１つの提供元を選択して取得する他の装置と通信する通信手段をさらに含み、
制御手段は、通信手段を介して、取得手段の取得部におけるコンテンツの取得状況を他の装置に与えることができるとともに、他の装置におけるコンテンツの取得状況を取得可能であることを特徴とする請求項１〜３のいずれかに記載の情報取得出力装置。
【請求項６】  取得部の使用権の設定状態を図表示するための表示データを生成するデータ生成手段をさらに含むことを特徴とする請求項２または３記載の情報取得出力装置。
【請求項７】  予め設定される提供時間枠に区切られる提供予定に従って提供する複数の提供元のうちの１つの提供元を選択して、選択した提供元からのコンテンツを取得し、取得したコンテンツを、複数の各出力先に出力する出力要請に基づいて出力させるにあたって、
いずれか１つの出力先への出力要請に基づいて、取得したコンテンツを前記１つの出力先に与えているとき、そのコンテンツを取得した提供元の選択の変更であって、かつ前記１つの出力先への出力要請よりも後に与えられる他の出力先への出力要請に基づく変更を禁止することを特徴とする情報取得出力方法。
【請求項８】  請求項７記載の情報取得出力方法を、コンピュータに実行させるための情報取得出力プログラム。
【手続補正３】
【補正対象書類名】明細書
【補正対象項目名】０００１
【補正方法】変更
【補正の内容】
【０００１】
【発明の属する技術分野】
本発明は、たとえば動画像などのコンテンツを取得し、出力先に与える情報取得出力装置および情報取得出力方法ならびにプログラムに関する。
【手続補正４】
【補正対象書類名】明細書
【補正対象項目名】０００７
【補正方法】変更
【補正の内容】
【０００７】
本発明の目的は、コンテンツを取得する取得部の数よりも、この取得部によって取得したコンテンツが与えられる出力先の数が多い場合に、出力先に安定してコンテンツを与えることができる情報取得出力装置および情報取得出力方法ならびにプログラムを提供することである。
【手続補正５】
【補正対象書類名】明細書
【補正対象項目名】００１９
【補正方法】変更
【補正の内容】
【００１９】
本発明に従えば、表示データは、取得部の使用権の設定状態を図示するときに生成されるので、利用者に、取得部の使用権の設定状態、つまり利用者が望む出力要請の出力先に使用権を設定することができるか否かを容易に判断することができる。
また本発明は、予め設定される提供時間枠に区切られる提供予定に従って提供する複数の提供元のうちの１つの提供元を選択して、選択した提供元からのコンテンツを取得し、取得したコンテンツを、各出力先に出力する出力要請に基づいて出力させるにあたって、
いずれか１つの出力先への出力要請に基づいて、取得したコンテンツを前記１つの出力先に与えているとき、そのコンテンツを取得した提供元の選択の変更であって、かつ前記１つの出力先への出力要請よりも後に与えられる他の出力先への出力要請に基づく変更を禁止することを特徴とする情報取得出力方法である。
また本発明は、前記情報取得出力方法を、コンピュータに実行させるための情報取得出力プログラムである。
本発明に従えば、いずれか１つの出力先にコンテンツを出力する出力要請に基づいて、取得したコンテンツを前記１つの出力先に与えているときに、そのコンテンツを取得した提供元の選択の変更であって、かつ前記１つの出力先への出力要請よりも後から与えられた他の出力先への出力要請に基づく変更を禁止する。つまり、異なる出力先にそれぞれ異なるコンテンツを出力する出力要請が与えられた場合に、後から与えられた出力要請によって、選択してコンテンツを取得している提供元の変更してしまうことを防止することができる。したがって、各出力先での取得するコンテンツを提供する提供元の変更の競合を防止することができ、１つの出力先に取得したコンテンツが与えられているときには、この出力先に出力されるコンテンツが不所望に他のコンテンツに変更されることを防止することができるので、取得したコンテンツを出力先に安定して与えることができ、出力先では、コンテンツを安定して得ることができる。
【手続補正６】
【補正対象書類名】明細書
【補正対象項目名】０２０４
【補正方法】変更
【補正の内容】
【０２０４】
また本発明によれば、表示データは、取得部の使用権の設定状態を図示するときに生成されるので、利用者に、取得部の使用権の設定状態、つまり利用者が望む出力要請の出力先に使用権を設定することができるか否かを容易に判断することができる。
本発明によれば、いずれか１つの出力先にコンテンツを出力する出力要請に基づいて、取得したコンテンツを前記１つの出力先に与えているときに、そのコンテンツを取得した提供元の選択の変更であって、かつ前記１つの出力先への出力要請よりも後から与えられた他の出力先への出力要請に基づく変更を禁止する。つまり、異なる出力先にそれぞれ異なるコンテンツを出力する出力要請が与えられた場合に、後から与えられた出力要請によって、選択してコンテンツを取得している提供元の変更してしまうことを防止することができる。したがって、各出力先での取得するコンテンツを提供する提供元の変更の競合を防止することができ、１つの出力先に取得したコンテンツが与えられているときには、この出力先に出力されるコンテンツが不所望に他のコンテンツに変更されることを防止することができるので、取得したコンテンツを出力先に安定して与えることができ、出力先では、コンテンツを安定して得ることができる。